(57)【要約】【課題】分子量の大きい有機ガス成分が使用環境中に混在した場合でも、脱臭性能の低下を抑制することができる空気清浄機を提供する。【解決手段】空気清浄機は、外部に向けて開口する吸込口及び吹出口が形成され、前記吸込口から前記吹出口に至る通風路を有する本体ケースと、前記通風路に設けられた脱臭部と、前記通風路において前記脱臭部よりも前記吸込口側に設けられ、塵埃を捕捉するフィルタと、前記通風路において前記フィルタよりも前記吸込口側に設けられ、前記フィルタが捕捉する塵埃よりも大きい塵埃を捕捉し、前記脱臭部が吸着する臭気成分の分子量よりも大きい分子量の有機ガス成分を吸着するプレフィルタと、を備えた。【選択図】図１０
2015039481.tif 000002
【特許請求の範囲】
【請求項１】
外部に向けて開口する吸込口及び吹出口が形成され、前記吸込口から前記吹出口に至る通風路を有する本体ケースと、
前記通風路に設けられた脱臭部と、
前記通風路において前記脱臭部よりも前記吸込口側に設けられ、塵埃を捕捉するフィルタと、
前記通風路において前記フィルタよりも前記吸込口側に設けられ、前記フィルタが捕捉する塵埃よりも大きい塵埃を捕捉し、前記脱臭部が吸着する臭気成分の分子量よりも大きい分子量の有機ガス成分を吸着するプレフィルタと、
を備えた空気清浄機。
【請求項２】
前記脱臭部を加熱により再生する加熱再生部、
を備えた請求項１に記載の空気清浄機。
【請求項３】
前記プレフィルタに担持されている多孔質粒子は、前記脱臭部に担持されている多孔質粒子よりも大きい細孔径を有するように構成されて成る請求項１又は請求項２に記載の空気清浄機。
【請求項４】
前記脱臭部は、０．３ｎｍ〜１．３ｎｍの範囲の細孔径を有した多孔質粒子を担持し、
前記プレフィルタは、２ｎｍ〜５０ｎｍの範囲の細孔径を有した多孔質粒子を担持した請求項３に記載の空気清浄機。
【請求項５】
前記脱臭部は、０．３ｎｍ〜１．３ｎｍの範囲の細孔径を有した多孔質粒子を担持し、
前記プレフィルタは、５０ｎｍ以上の細孔径を有した多孔質粒子を担持した請求項３に記載の空気清浄機。
【請求項６】
前記プレフィルタは、
前記吸込口側に設けられた第１フィルタ基材と、
前記吹出口側に設けられた第２フィルタ基材と、
前記第１フィルタ基材と前記第２フィルタ基材とに挟まれ、吸着材を担持した脱臭体と、
を備えた請求項１〜請求項５のいずれか一項に記載の空気清浄機。
【請求項７】
前記プレフィルタは、吸着材を担持したフィルタ基材を備えた請求項１〜請求項５のいずれか一項に記載の空気清浄機。
【請求項８】
前記吸着材は、疎水性の外表面と疎水性の孔内面とを有した結晶性多孔質粒子を備えた請求項６又は請求項７に記載の空気清浄機。
【請求項９】
前記吸着材は、ジメチルシロキサン基とトリメチル基とオクチル基とジメチル基とメチル基とフェニル基とうちの少なくとも１つを有した表面を備えた請求項８に記載の空気清浄機。
【発明の詳細な説明】
【技術分野】
【０００１】
この発明は、空気清浄機に関するものである。
【背景技術】
【０００２】
例えば、特許文献１においては、脱臭部を備えた空気清浄機が提案されている。当該脱臭部には、吸着材が設けられる。当該吸着材は、ナノサイズの細孔を有する。このため、吸着面の表面積は広い。当該吸着材の表面には、白金系触媒が設けられる。当該触媒は、より多くの臭気成分を吸着する。当該臭気成分は、脱臭部を加熱部により加熱することで除去される。その結果、脱臭部の脱臭性能が回復する。
【先行技術文献】
【特許文献】
【０００３】
【特許文献１】特開２００１−３８１２６号公報
【特許文献２】特開２００２−２８４３０号公報
【特許文献３】特開２００７−５０７９２号公報
【特許文献４】特開２００３−１２６２２９号公報
【特許文献５】特開２００４−２３６７２１号公報
【発明の概要】
【発明が解決しようとする課題】
【０００４】
しかしながら、分子量の大きい有機ガス成分が使用環境中に混在した場合、当該有機ガス成分により、触媒の細孔が遮蔽される。当該遮蔽により、空気清浄機の脱臭性能が経時的に低下する。また、有機ガス成分の多くは高い沸点を有する。例えば、沸点は１５０℃以上である。このため、脱臭部を加熱部により加熱しても、有機ガス成分の多くは分解しない。その結果、脱臭部の脱臭性能の低下分を回復することができない。
【０００５】
この発明は、上述の課題を解決するためになされたものである。すなわち、この発明の目的は、分子量の大きい有機ガス成分が使用環境中に混在した場合でも、脱臭性能の低下を抑制することができる空気清浄機を提供することである。
【課題を解決するための手段】
【０００６】
この発明に係る空気清浄機は、外部に向けて開口する吸込口及び吹出口が形成され、前記吸込口から前記吹出口に至る通風路を有する本体ケースと、前記通風路に設けられた脱臭部と、前記通風路において前記脱臭部よりも前記吸込口側に設けられ、塵埃を捕捉するフィルタと、前記通風路において前記フィルタよりも前記吸込口側に設けられ、前記フィルタが捕捉する塵埃よりも大きい塵埃を捕捉し、前記脱臭部が吸着する臭気成分の分子量よりも大きい分子量の有機ガス成分を吸着するプレフィルタと、を備えたものである。
【発明の効果】
【０００７】
この発明によれば、分子量の大きい有機ガス成分が使用環境中に混在した場合でも、脱臭性能の低下を抑制することができる。
【図面の簡単な説明】
【０００８】
【図１】この発明の実施の形態１における空気清浄機を前方から見た斜視図である。
【図２】この発明の実施の形態１における空気清浄機を後方から見た斜視図である。
【図３】この発明の実施の形態１における空気清浄機の正面図である。
【図４】この発明の実施の形態１における空気清浄機の平面図である。
【図５】この発明の実施の形態１における空気清浄機の側面図である。
【図６】この発明の実施の形態１における空気清浄機から前パネルとプレフィルタとＨＥＰＡフィルタとを取り外した状態を前方から見た斜視図である。
【図７】この発明の実施の形態１における空気清浄機から前パネルとプレフィルタとＨＥＰＡフィルタとを取り外した状態の正面図である。
【図８】この発明の実施の形態１における空気清浄機から前パネルとプレフィルタとＨＥＰＡフィルタとを取り外した状態の平面図である。
【図９】この発明の実施の形態１における空気清浄機から前パネルとプレフィルタとＨＥＰＡフィルタとを取り外した状態の側面図である。
【図１０】この発明の実施の形態１における空気清浄機の分解斜視図である。
【図１１】この発明の実施の形態１における空気清浄機の脱臭部を前方から見た斜視図である。
【図１２】この発明の実施の形態１における空気清浄機の脱臭部を後方から見た斜視図である。
【図１３】この発明の実施の形態１における空気清浄機の脱臭部を後方から見た分解斜視図である。
【図１４】この発明の実施の形態１における空気清浄機のプレフィルタの縦断面図である。
【図１５】図３のＹ−Ｙ線における断面図である。
【図１６】この発明の実施の形態２における空気清浄機のプレフィルタの縦断面図である。
【発明を実施するための形態】
【０００９】
この発明を実施するための形態について添付の図面に従って説明する。各図中、同一又は相当する部分には同一の符号が付される。当該部分の重複説明は適宜に簡略化ないし省略される。
【００１０】
実施の形態１．
図１はこの発明の実施の形態１における空気清浄機を前方から見た斜視図である。図２はこの発明の実施の形態１における空気清浄機を後方から見た斜視図である。図３はこの発明の実施の形態１における空気清浄機の正面図である。図４はこの発明の実施の形態１における空気清浄機の平面図である。図５はこの発明の実施の形態１における空気清浄機の側面図である。
【００１１】
図６はこの発明の実施の形態１における空気清浄機から前パネルとプレフィルタとＨＥＰＡフィルタとを取り外した状態を前方から見た斜視図である。図７はこの発明の実施の形態１における空気清浄機から前パネルとプレフィルタとＨＥＰＡフィルタとを取り外した状態の正面図である。図８はこの発明の実施の形態１における空気清浄機から前パネルとプレフィルタとＨＥＰＡフィルタとを取り外した状態の平面図である。図９はこの発明の実施の形態１における空気清浄機から前パネルとプレフィルタとＨＥＰＡフィルタとを取り外した状態の側面図である。
【００１２】
図１〜図９に示すように、空気清浄機の外郭は、本体ケース１で形成される。本体ケース１は、直方体状に形成される。本体ケース１は、前パネル２、前ケース３、後ケース４等からなる。
【００１３】
次に、図１０を用いて、空気清浄機の詳細を説明する。
図１０はこの発明の実施の形態１における空気清浄機の分解斜視図である。
【００１４】
図１０に示すように、前パネル２は、正面から見た際に長方形状に形成される。前パネル２の前面には、吸込口２ａが形成される。吸込口２ａは、左右方向に延びるようにスリット状に形成される。吸込口２ａは、前パネル２を前後方向に貫通する。
【００１５】
前ケース３は、フレーム３ａを備える。フレーム３ａは、予め設定された奥行きを有する。フレーム３ａの上辺の上面の前側には、操作部３ｂが設けられる。フレーム３ａの下辺には、下突出部３ｃが形成される。下突出部３ｃは、フレーム３ａの左右の２辺より前方に全体的に突き出す。フレーム３ａの上辺には、上突出部３ｄが形成される。上突出部３ｄは、フレーム３ａの左右の２辺より前方に全体的に突き出す。
【００１６】
フレーム３ａの前部には、前開口３ｅが設けられる。前開口３ｅは、正面から前パネル２で覆われるように形成される。具体的には、前開口３ｅは、長方形状に形成される。フレーム３ａの後部には、仕切板３ｆが設けられる。仕切板３ｆは、フレーム３ａの後部を覆う。仕切板３ｆには、後開口３ｇが設けられる。後開口３ｇは、円状に形成される。後開口３ｇは、仕切板３ｆを前後方向に貫通する。後開口３ｇは、フレーム３ａ内を介して前開口３ｅとつながる。
【００１７】
フレーム３ａには、脱臭部５が取り付けられる。脱臭部５は、枠体５ａを備える。枠体５ａは、予め設定された奥行きを有する。枠体５ａの外形は、前開口３ｅ内に嵌め込められるように形成される。枠体５ａの内側は、ＨＥＰＡフィルタ６が取り付けられる。ＨＥＰＡフィルタ６は、枠体５ａの開口と同程度の大きさで形成される。ＨＥＰＡフィルタ６の前方には、プレフィルタ７が設けられる。プレフィルタ７は、ＨＥＰＡフィルタ６の前面を覆う。プレフィルタ７は、目の粗いフィルタで形成される。
【００１８】
後ケース４は、箱状に形成される。後ケース４の前面には、前開口４ａが形成される。前開口４ａは、長方形状に形成される。後ケース４の上面には、吹出口４ｂが形成される。吹出口４ｂの下方には、ルーバ８が設けられる。後ケース４には、後面４ｃが設けられる。後面４ｃは、後ケース４の後部を閉鎖する。後面４ｃには、送風ファン９が設けられる。送風ファン９は、シロッコファンからなる。送風ファン９の外周側には、仕切１０が設けられる。仕切１０は、スクロール形状からなる。送風ファン９と仕切１０との間には、図示しない通風路が形成される。後ケース４と仕切１０との間には、図示しない空間が形成される。当該空間には、制御部１１が設けられる。制御部１１は、フレーム３ａの上辺を介して操作部３ｂと電気的に接続される。
【００１９】
次に、図１１〜図１３を用いて、脱臭部５を説明する。
図１１はこの発明の実施の形態１における空気清浄機の脱臭部を前方から見た斜視図である。図１２はこの発明の実施の形態１における空気清浄機の脱臭部を後方から見た斜視図である。図１３はこの発明の実施の形態１における空気清浄機の脱臭部を後方から見た分解斜視図である。
【００２０】
図１１に示すように、枠体５ａ内には、中仕切板１２が設けられる。中仕切板１２は、枠体５ａの開口を前後に仕切る。
【００２１】
図１２に示すように、中仕切板１２には、脱臭エレメント１３が設けられる。脱臭エレメント１３は、中仕切板１２に対して回転自在に設けられる。脱臭エレメント１３の中心には、図示しない回転軸が設けられる。回転軸は、図示しない回転モーターに連結される。
【００２２】
脱臭エレメント１３は、ハニカムコアを備える。ハニカムコアは、円板状に形成される。ハニカムコアは、セラミック又はアルミニウム又はペーパーで形成される。ハニカムコアのセル数は、搭載する製品の仕様に応じて数１０〜９００個／平方インチの間で選定される。ハニカムコアには、添着材が添着される。添着材は、吸着材と酸化分解触媒とのうちの少なくとも一方からなる。添着材の粒子径の分布は、２μｍ〜５０μｍの範囲となる。添着材は、数１０μｍの厚みを有する。
【００２３】
例えば、添着材は、多孔質粒子からなる。添着材は、０．３ｎｍ〜１．３ｎｍの範囲の直径を有した多数の細孔を持つ。すなわち、添着材の表面上において凹凸部分の凹み部分を円形と仮定した場合、当該円の直径は０．３ｎｍ〜１．３ｎｍの範囲にある。このため、添着材の表面積は広い。例えば、添着材は、ゼオライト、シリカゲル等からなる。ゼオライトは、ミクロ細孔を有する。ゼオライトは、疎水性の表面を有する。
【００２４】
例えば、酸化分解触媒は、臭気成分を吸着する触媒からなる。例えば、酸化分解触媒は、アンモニア臭を吸着する触媒からなる。例えば、酸化分解触媒は、加熱により臭気成分を酸化分解する触媒からなる。例えば、酸化分解触媒は、加熱によりアンモニアを酸化分解する触媒からなる。具体的には、酸化分解触媒は、白金が担持された吸着材、二酸化マンガン等からなる。吸着する臭気成分に特化した場合は、添加物が触媒に加えられる。その結果、脱臭性能がより向上する。
【００２５】
図１３に示すように、脱臭エレメント１３の下部の後方には、加熱ユニット１４が設けられる。加熱ユニット１４は、脱臭エレメント１３の裏面に近接して枠体５ａに固定される。加熱ユニット１４において、脱臭エレメント１３の直径方向の寸法は、脱臭エレメント１３の回転半径以下に設定される。
【００２６】
脱臭エレメント１３の下部の前方には、蓋体１５が設けられる。蓋体１５は、脱臭エレメント１３を介して加熱ユニット１４と対向する。その結果、脱臭エレメント１３の加熱空間が形成される。
【００２７】
脱臭エレメント１３の上部の一側には、駆動手段１６が設けられる。
【００２８】
次に、図１４を用いて、プレフィルタ７を説明する。
図１４はこの発明の実施の形態１における空気清浄機のプレフィルタの縦断面図である。
【００２９】
図１４において、プレフィルタ７は、ＨＥＰＡフィルタ６の効果を長期間保つように形成される。具体的には、プレフィルタ７は、枠体７ａ、メッシュ７ｂを備える。メッシュ７ｂは、枠体７ａに固定される。メッシュ７ｂは、第１フィルタ基材７ｃ、第２フィルタ基材７ｄ、脱臭体７ｅを備える。
【００３０】
第１フィルタ基材７ｃは、メッシュ７ｂの前部側に設けられる。第１フィルタ基材７ｃは、塵埃を捕捉し得るように形成される。第２フィルタ基材７ｄは、メッシュ７ｂの後部側に設けられる。第２フィルタ基材７ｄは、塵埃を捕捉し得るように形成される。脱臭体７ｅは、第１フィルタ基材７ｃと第２フィルタ基材７ｄとに挟まれる。
【００３１】
例えば、脱臭体７ｅは、吸着材粒子７ｆを担持する。吸着材粒子７ｆは、結晶性多孔質粒子からなる。吸着材粒子７ｆは、２ｎｍ以上の直径を有した多数の細孔を持つ。すなわち、吸着材粒子７ｆの表面上において凹凸部分の凹み部分を円形と仮定した場合、当該円の直径は２ｎｍ以上である。吸着材粒子７ｆは、疎水性の外表面と細孔内の表面とを有する。
【００３２】
次に、図１５を用いて、空気清浄機の運転を説明する。
図１５は図３のＹ−Ｙ線における断面図である。
【００３３】
図１５に示すように、吸込口２ａと吹出口４ｂとの間には、通風路が形成される。使用者が操作部３ｂを操作すると、空気清浄機が運転を開始する。この際、制御部１１は、送風ファン９を駆動する。当該駆動により、室内の空気が吸込口２ａから取り込まれる。当該空気は、プレフィルタ７を通過する。この際、プレフィルタ７は、空気中の大きな塵埃を取り除く。脱臭体７ｅは、分子量の大きい有機ガス成分を吸着する。例えば、脱臭体７ｅは、直鎖系炭化水素のノナン、デカン、ウンデカン等を吸着する。
【００３４】
その後、当該空気は、ＨＥＰＡフィルタ６を通過する。この際、ＨＥＰＡフィルタ６は、空気中の微細な塵埃を取り除く。例えば、ＨＥＰＡフィルタ６は、花粉、ダニの糞、カビの胞子、ハウスダスト等を取り除く。
【００３５】
その後、空気は、脱臭部５へ流入する。当該空気は、脱臭エレメント１３に至る。この際、脱臭エレメント１３は、空気中の臭気成分を取り除く。その後、清浄された空気は、後開口３ｇを通過する。当該空気は、送風ファン９を通過する。その後、当該空気は、ルーバ８で整流される。その後、当該空気は、吹出口４ｂから上方向に吹き出す。
【００３６】
制御部１１は、予め設定されたタイミングで脱臭性能回復運転を行う。例えば、運転開始からの累積運転時間が予め設定された時間を超えた場合に、制御部１１は脱臭性能回復運転を行う。例えば、前回の再生運転終了からの累積運転時間が予め設定された時間を超えた場合に、制御部１１は脱臭性能回復運転を行う。
【００３７】
この際、制御部１１は、加熱ユニット１４に通電する。当該通電により、加熱ユニット１４は、熱を発する。当該熱により、脱臭エレメント１３の下部は、予め設定された温度まで上昇する。この状態は、予め設定された時間だけ継続する。その後、制御部１１は、駆動手段１６を駆動する。当該駆動により、脱臭エレメント１３が回転する。当該回転により、脱臭エレメント１３において、加熱ユニット１４との対向面が変化する。当該変化により、脱臭エレメント１３の多くの領域が加熱される。
【００３８】
以上で説明した実施の形態１によれば、分子量の大きい有機ガス成分は、プレフィルタ７に吸着される。このため、病院、老健施設等、一般家庭以外の特殊な施設内において、脱臭エレメント１３の細孔が分子量の大きい有機ガス成分で遮蔽されることを抑制できる。その結果、空気清浄機の脱臭性能の低下を抑制することができる。
【００３９】
また、分子量の大きい有機ガス成分は、脱臭エレメント１３に蓄積されない。このため、濃縮された有機ガス成分が再放出することもない。その結果、空気清浄機の吹出風が異臭を発することもない。
【００４０】
なお、脱臭エレメント１３は加熱ユニット１４にて性能再生動作を行えることが望ましい。これにより、少なくとも、高沸点で分子量の大きい有機ガス成分以外のガスについては脱着することができる。このため、脱臭エレメント１３の性能再生動作を定期的に行うことで脱臭エレメント１３の脱臭性能の低下を抑制することができる。その結果、脱臭エレメント１３の脱臭性能を容易に維持することができる。この際、高沸点で分子量の大きい有機ガス成分は前段のプレフィルタ７にて除去できている。このため、脱臭エレメント１３の交換をする必要が無くなる、または交換回数を抑制することが出来る。即ち、メンテナンスの手間が省ける。
【００４１】
また、脱臭体７ｅは、第１フィルタ基材７ｃと第２フィルタ基材７ｄとに挟まれる。このため、第１フィルタ基材７ｃと第２フィルタ基材７ｄを水洗すれば、蓄積した塵埃を除去することができる。この際、疎水性の吸着材粒子７ｆにおいて、吸着性能の低下はほとんどない。
【００４２】
また、プレフィルタ７に担持されている多孔質粒子は脱臭エレメント１３に担持される多孔質粒子よりも大きい細孔径を有するように構成するとよい。これにより、分子量の小さい臭気成分がプレフィルタ７に吸着するのを抑制しつつ、分子量の大きい有機ガス成分のみを選択的にプレフィルタ７にて除去できる。即ち、プレフィルタ７の吸着性能が臭気成分に汚染されることを防止できる。特に、本実施の形態の構成では、プレフィルタ７には加熱ユニット１４がない。この場合、プレフィルタ７の吸着性能は回復しない。このため、プレフィルタ７において対象のガス以外は吸着除去できないのが望ましい。
【００４３】
具体的には、脱臭エレメント１３は分子量の小さい臭気成分を主な対象として考えるのがよい。この際、比表面積を広くするため、脱臭エレメント１３は、ミクロ孔、特に０．３ｎｍ〜１．３ｎｍの範囲の細孔径を有することが望ましい。これよりも小さい孔は臭気成分を捕捉できない。これよりも大きい孔は臭気成分を捕捉しても再度放出し得る。このため、０．３ｎｍ〜１．３ｎｍの範囲の細孔径が最も適している。
【００４４】
また、プレフィルタ７の吸着材粒子７ｆはメソ孔（２ｎｍ〜５０ｎｍ）、マクロ孔（５０ｎｍ以上）等、細孔径の大きい疎水性吸着材粒子であることが望ましい。メソ孔は、臭気成分を多少除去するものの、薬剤等と併用しやすい。このため、除去物質の選択性を高めることができる。マクロ孔においては、そもそも細孔径が大きい。このため、分子量の小さい臭気成分を長期間保持しない。
【００４５】
なお、製造コストと化学的安定性と考慮した場合、シリカ粒子を吸着材粒子７ｆとするとよい。また、シリカとアルミナとを主原料とするゼオライト粒子を吸着材粒子７ｆとしてもよい。また、吸着と酸化分解の双方の機能を有する触媒材料として、二酸化マンガン又は酸化亜鉛を吸着材粒子７ｆとしてもよい。
【００４６】
シリカ粒子を吸着材粒子７ｆとした場合、吸着材粒子７ｆの表面にシランカップリング剤を反応させるとよい。当該反応により、吸着材粒子７ｆの表面は、ジメチルシロキサン基、トリメチル基、オクチル基、ジメチル基、メチル基、フェニル基等に置換される。この場合、吸着材粒子７ｆの表面は高い疎水性を有する。その結果、疎水性の有機ガス成分を選択的に吸着することができる。
【００４７】
実施の形態２．
図１６はこの発明の実施の形態２における空気清浄機のプレフィルタの縦断面図である。なお、実施の形態１と同一又は相当部分には同一符号を付して説明を省略する。
【００４８】
実施の形態１のプレフィルタ７は、第１フィルタ基材７ｃ、第２フィルタ基材７ｄ、脱臭体７ｅを備えていた。一方、実施の形態２のプレフィルタ７は、フィルタ基材７ｇを備える。フィルタ基材７ｇは、第１フィルタ基材７ｃ、第２フィルタ基材７ｄと同様のものである。フィルタ基材７ｇには、吸着材粒子７ｈが担持される。吸着材粒子７ｈは、吸着材粒子７ｆと同様のものである。
【００４９】
以上で説明した実施の形態２によれば、吸着材粒子７ｈは、フィルタ基材７ｇに担持される。このため、プレフィルタ７を容易に製作することができる。
【００５０】
なお、実施の形態１及び実施の形態２においては、プレフィルタ７が多孔質粒子である吸着材粒子７ｆを担持している。しかしながら、プレフィルタ７の基材そのものを多孔質材料としてもよい。この場合、必ずしも吸着材粒子７ｆを必要としない。多孔質材料の細孔径が明細書内に記載の条件を満たしていれば、吸着材粒子７ｆを担持することなく、期待する性能、効果を確保することが出来る場合がある。例えば、薬剤等で表面処理したり、熱処理を行ったりすることで、表面を荒らし、材料に細孔を形成し、多孔質化させることが出来る。
【符号の説明】
【００５１】
１  本体ケース、  ２  前パネル、  ２ａ  吸込口、  ３  前ケース、  ３ａ  フレーム、  ３ｂ  操作部、  ３ｃ  下突出部、  ３ｄ  上突出部、  ３ｅ  前開口、  ３ｆ  仕切板、  ３ｇ  後開口、  ４  後ケース、  ４ａ  前開口、  ４ｂ  吹出口、  ４ｃ  後面、  ５  脱臭部、  ５ａ  枠体、  ６  ＨＥＰＡフィルタ、  ７  プレフィルタ、  ７ａ  枠体、  ７ｂ  メッシュ、  ７ｃ  第１フィルタ基材、  ７ｄ  第２フィルタ基材、  ７ｅ  脱臭体、  ７ｆ  吸着材粒子、  ７ｇ  フィルタ基材、  ７ｈ  吸着材粒子、  ８  ルーバ、  ９  送風ファン、  １０  仕切、  １１  制御部、  １２  中仕切板、  １３  脱臭エレメント、  １４  加熱ユニット、  １５  蓋体、  １６  駆動手段
【図１】
2015039481.tif 000003
【図２】
2015039481.tif 000004
【図３】
2015039481.tif 000005
【図４】
2015039481.tif 000006
【図５】
2015039481.tif 000007
【図６】
2015039481.tif 000008
【図７】
2015039481.tif 000009
【図８】
2015039481.tif 000010
【図９】
2015039481.tif 000011
【図１０】
2015039481.tif 000012
【図１１】
2015039481.tif 000013
【図１２】
2015039481.tif 000014
【図１３】
2015039481.tif 000015
【図１４】
2015039481.tif 000016
【図１５】
2015039481.tif 000017
【図１６】
2015039481.tif 000018